(57)【特許請求の範囲】
【請求項１】
断熱壁の内側に仕切板を配置してダクトを形成したショーケース本体と、ショーケース本体内側の商品収納部に配置した複数の商品棚と、商品棚の下方に前記断熱壁と所定の間隔をおいて配置された底棚と、前記ダクト内に設けた冷却器と、前記底棚の下方に配置され前記ダクト方向に空気を流通させる冷却ファンとを備え、冷却器による冷気を循環させて商品収納部を冷却するショーケースにおいて、
ショーケース本体の背面側に対向する仕切板は、上側が後傾した後傾部と後傾部の下端から後退した後退部と後退部の後端から下方に延びた立設部とを有し、且つ、前記後傾部及び立設部にはダクト内の冷気を吹き出す吹出孔が形成されており、
前記複数の商品棚は、奥行きが等しく且つ後端が前記背面側仕切板の後傾部に沿うように配置されている
ことを特徴とするショーケース。
【請求項２】
前記仕切板の後退部にはダクト内の冷気を吹き出す吹出孔が形成されている
ことを特徴とする請求項１記載のショーケース。
【発明の詳細な説明】
【０００１】
【発明の属する技術分野】
本発明は、冷気を循環させることにより冷蔵・冷凍商品を陳列収納することができるショーケースに関するものである。
【０００２】
【従来の技術】
従来のこの種のショーケースについて図３を参照して説明する。図３は従来のショーケースの側面断面図である。このショーケース１０１は、断面略コ字状の断熱壁１０２の内側に、該断熱壁１０２に沿うように所定の間隔をもって仕切板１０３を垂直に配置することにより、断熱壁１０２と仕切板１０３との間にダクト１０４を形成している。仕切板１０３の内側は商品を収納する商品収納部１０５であり、商品収納部１０５内には複数段の商品棚１０６が設置されている。
【０００３】
ダクト１０４の下部には、冷却器１０７及び冷却ファン１０８が設置されている。また、ダクト１０４の上部前端には吹出口１０９を形成するとともに、下部前端には吸入口１１０が形成されている。このような構成により、冷却ファン１０８の駆動によりダクト１０４内に冷気を流通させ、吹出口１０９から吸入口１１０にわたってエアカーテンを形成し、商品収納部１０５の保冷を図っている（図中の点線矢印参照）。
【０００４】
【発明が解決しようとする課題】
しかしながら、従来のショーケース１０１は、同一寸法の商品棚１０６を垂直に配置しているため、特に上段の商品棚１０６が顧客に対して圧迫感を与えるという問題があった。また、商品が上段の商品棚１０６の影に入るため光量が不足して視認性が悪化する場合があり、時には商品棚１０６に遮られて商品を直接視認できない場合もあった。
【０００５】
このような問題を解決するために、商品棚１０６の奥行き寸法を上段から下段にわたって大きく形成することが考えられる。しかしながら、このようなショーケースでは、各商品棚１０６を製造する際に部品の共通化が図られないのでコストが高くなるという問題があった。また、各商品棚１０６の高さを調整したり、棚数を増減させると、各商品棚１０６の前端を結ぶ線が直線とならず美感を損ねる場合があるという問題もあった。
【０００６】
本発明は、上記事情に鑑みてなされたものであり、その目的とするところは、顧客に対して圧迫感を与えることなく商品の視認性が良好で、且つ、商品の保冷が可能なショーケースを提供することにある。
【０００７】
【課題を解決するための手段】
上記目的を達成するために、請求項１の発明では、断熱壁の内側に仕切板を配置してダクトを形成したショーケース本体と、ショーケース本体内側の商品収納部に配置した複数の商品棚と、商品棚の下方に前記断熱壁と所定の間隔をおいて配置された底棚と、前記ダクト内に設けた冷却器と、前記底棚の下方に配置され前記ダクト方向に空気を流通させる冷却ファンとを備え、冷却器による冷気を循環させて商品収納部を冷却するショーケースにおいて、ショーケース本体の背面側に対向する仕切板は、上側が後傾した後傾部と後傾部の下端から後退した後退部と後退部の後端から下方に延びた立設部とを有し、且つ、前記後傾部及び立設部にはダクト内の冷気を吹き出す吹出孔が形成されており、前記複数の商品棚は、奥行きが等しく且つ後端が前記背面側仕切板の後傾部に沿うように配置されていることを特徴とするものを提案する。
【０００８】
本発明によれば、ショーケース本体の背面側に対向する仕切板が後傾しているので、奥行き寸法の等しい複数の商品棚をその後端が仕切板の前記後傾部に沿うように配置すれば、商品棚の前端を結ぶ線が仕切板の後傾部と平行となる。つまり、商品棚が下方から上方にわたって後退して配置される。これにより、上段の商品棚が顧客に与える圧迫感を軽減することができる。また、商品棚の商品が上段の商品棚の影に入りづらくなるので、商品の視認性が向上する。さらに、商品棚として同一寸法を用いるので部品の共通化によるコスト削減が容易となる。さらに、商品棚の上下位置を調整したり棚数を増減させても商品棚の前端は常に仕切板の前記後傾部と平行となるので、美感を損ねることがない。さらに、仕切板の下部が後退しているので、商品収納部の下部における商品収納容量が向上する。
【０００９】
また、請求項２の発明では、請求項１記載のショーケースにおいて、前記仕切板の後退部にはダクト内の冷気を吹き出す吹出孔が形成されていることを特徴とするものを提案する。
【００１０】
本発明によれば、仕切板の後退部に吹出孔が形成されているので、商品収納部の下部にダクト内の冷気が吹き出される。これにより、冷却不足になりやすい商品収納部下部に収納された商品の保冷を確実に行うことができる。
【００１１】
【発明の実施の形態】
本発明の一実施の形態にかかるショーケースについて図１〜図４を参照して説明する。図１はショーケースの側面断面図、図２はショーケースの仕切板の構造を説明する一部切り欠き斜視図である。
【００１２】
このショーケース１は、内側に商品収納部３を形成する前面開口のショーケース本体２と、該ショーケース本体２の下部に設置された基台４とを備えたものである。
【００１３】
ショーケース本体２は、側断面が略コ字状の断熱壁５と、断熱壁５の内側に間隔をおいて配置された仕切板６と、断熱壁５の上部を被装する天井パネル７と、断熱壁５と仕切板６間の空間の左右方向を閉鎖する左右一対の側板８と、該側板８の外側に設けた左右一対のガラス板９とを有する。また、商品収納部３には、複数段（本実施の形態では６段）の着脱自在の商品棚１０と、商品棚１０の下方には断熱壁５の底壁５ｃと所定の間隔をおいて底棚１１を配置している。
【００１４】
断熱壁５は、天井壁５ａの前端部が、各商品棚１１の前端よりもやや後方に位置するように形成されている。これにより、顧客に与える圧迫感を軽減するとともに上部の商品棚１１に収納した商品の視認性を良好にしている。
【００１５】
仕切板６と断熱壁５との間には、ダクト仕切板１２が設けられている。このダクト仕切板１２は、仕切板６と断熱壁５ｂの間と、仕切板６と天井壁５ａの間に亘って配置されている。これにより、仕切板６とダクト仕切板１２との間に第１のダクト１３を形成するとともに、ダクト仕切板１２と断熱壁５との間に第２のダクト１４を形成している。
【００１６】
第１のダクト１３の下部には、蒸発器等の冷却器１５が設置してある。この冷却器１５は、第１のダクト１３に沿って縦長に形成されており、上面及び下面を除く四側面はコイルカバーが形成されている。また、冷却器１５は、ショーケース１とは別に設置してある圧縮機や凝縮器（それぞれ図示省略）等と接続して冷凍装置を構成している。すなわち、圧縮機等の駆動により冷媒が流通し、冷却器１５が冷却される。
【００１７】
底棚１１の下方には第１のダクト１３及び第２のダクト１４方向に空気を流通する送風器１６が設置されている。また、底棚１１の前方には、吸入口１７が形成されている。さらに、第１のダクト１３の上部前端には第１の吹出口１８が形成されており、第２のダクト１４の上部前端には前記第１の吹出口１８の前方に第２の吹出口１９が形成されている。各吹出口には、それぞれ整流用のハニカム１８ａ及び１９ｂが設置されている。
【００１８】
仕切板６は、断熱壁５ｂの前方に配置されショーケース本体２の背面側に対向する後仕切板２０と、後仕切板２０の上端から前方に張り出した上仕切板２１とからなる。後仕切板２０の下端部は、前記底棚１１の後端部と当接している。
【００１９】
この後仕切板２０は、背面側に後傾した後傾部２０ａと、後傾部２０ａの下端から背面側に後退した後退部２０ｂと、後退部２０ｂの後端から下方に延びて前記底棚１１の後端に当接する立設部２０ｃとからなる。
【００２０】
ここで、後仕切板２０の後傾部２０ａ及び後退部２０ｂには、第１のダクト１３と連通する多数の吹出孔２２が形成されている。この吹出孔２２により第１のダクト１３を流通する空気が商品収納部３に向けて吹き出される。特に、後退部２０ｂの吹出孔２２から吹き出される空気は、商品収納部３の下部を流通することになる。
【００２１】
側板８は、前端が後仕切板２０の後傾部２０ａとほぼ面一となるとともに、後傾部２０ａの下端からは垂直になるように形成されている。また、側板８の前端面には、商品棚１０を設置するための係止孔８ａが形成されている。この係止孔８ａは、複数の商品棚１０を設置するとともに、その高さ位置を調整できるように、所定間隔をもって多数形成されている。また、この側板８の係止孔８ａは、前記第１のダクト１３と連通している。このため、この係止孔８ａからもダクト内の空気が商品収納部３に吹き出される。
【００２２】
天井パネル７は、前部が断熱壁５の上部前端を覆うように屈曲して形成されている。天井パネル７と断熱壁５の間には、蛍光灯などの照明器２３が配置されている。
【００２３】
商品棚１０は、棚板１０ａと棚板１０ａの両端下部に設けられた支持金具１０ｂを備えている。この支持金具１０ｂを側板８の係止孔８ａに係合させることにより、商品棚１０が商品収納部３に配置される。このとき、棚板１０ａの後端が、後仕切板２０の後傾部２０ａに沿うように配置されることになる。ここで、複数の商品棚１０は、それぞれ同一の寸法のものが使用される。したがって、商品棚１０を複数配置すると、その前端を結ぶ線は後仕切板２０の後傾部２０ａとほぼ平行となる。
【００２４】
このような構成により、冷却装置及び送風器１６を駆動すると、吸入口１７から吸入された空気は送風器１６により第１のダクト１３及び第２のダクトの下部方向に送風される。第１のダクト１３を流通する空気は冷却器１５により冷却され、第１の吹出口１８及び後仕切板２０の吹出孔２２から商品収納部３に吹き出される（図の実線矢印参照）。第２のダクト１４を流通する空気は冷却されることなく第２の吹出口１９から吹き出される（図の点線矢印参照）。
【００２５】
第１の吹出口１８から吹き出された冷気は、商品収納部３を冷却するとともに商品収納部３の前面にエアカーテンを形成する。第２の吹出口１９から吹き出された冷気は、前記エアカーテンを保護するように、その前面にエアカーテンを形成する。すなわち、商品収納部３の前面には二重構造のエアカーテンが形成される。
【００２６】
後仕切板２０の吹出孔２２から吹き出された冷気は、商品収納部３内を冷却する。ここで、商品棚１０の後部には第１の吹出口１８からの冷気が届きにくいので、後仕切板２０の後傾部２０ａに形成された吹出孔２２からの冷気により商品収納部３の保冷が確実なものとなる。特に、商品収納部１０の下部は第１の吹出口１８からの冷気が届きにくいので、後仕切板２０の後退部２０ｂに形成された吹出孔２２からの冷気により商品収納部３の保冷が確実なものとなる。
【００２７】
第１の吹出口１８、第２の吹出口１９及び後仕切板２０の吹出孔２２から吹き出された空気は吸入口１７からショーケース本体２に流入し、送風器１６により循環する。
【００２８】
このように、本実施の形態にかかるショーケースでは、後仕切板２０が後傾しているので、奥行き寸法の等しい複数の商品棚１０をその後端が後仕切板２０の後傾部２０ａに沿うように配置すれば、商品棚１０の前端を結ぶ線が後傾部２０ａと平行となる。つまり、商品棚１０が下方から上方にわたって後退して配置される。これにより、上段の商品棚１０が顧客に与える圧迫感を軽減することができる。また、商品棚１０の商品が上段の商品棚１０の影に入りづらくなるので、商品の視認性が向上する。さらに、商品棚１０として同一寸法を用いるので部品の共通化によるコスト削減が容易となる。さらに、商品棚１０の上下位置を調整したり棚数を増減させても商品棚１０の前端は常に前記後傾部２０ａと平行となるので、美感を損ねることがない。さらに、後仕切板２０の下部が後退しているので、商品収納部３の下部における商品収納容量が向上する。
【００２９】
ここで、後仕切板２０の後退部２０ｂには吹出孔２２が形成されているので、商品収納部３の下部に第１のダクト１３内の冷気が吹き出される。これにより、冷却不足になりやすい商品収納部３下部に収納された商品の保冷を確実に行うことができる。
【００３０】
なお、本実施の形態では、吹出孔２２を後仕切板２０の後傾部２０ａ及び後退部２０ｂのみに形成したが、さらに立設部２０ｃに形成してもよい。
【００３１】
また、本実施の形態では、冷凍サイクルを形成する機器として蒸発器等の冷却器１５のみをショーケース本体２内に設置し、圧縮機等の機器は別に設けることとしたが、冷凍装置を全てショーケース本体２に内蔵するようにしてもよい。
【００３２】
【発明の効果】
以上詳述したように、請求項１の発明によれば、ショーケース本体の背面側に対向する仕切板が後傾しているので、奥行き寸法の等しい複数の商品棚をその後端が仕切板の前記後傾部に沿うように配置すれば、商品棚の前端を結ぶ線が仕切板の後傾部と平行となる。つまり、商品棚が下方から上方にわたって後退して配置される。これにより、上段の商品棚が顧客に与える圧迫感を軽減することができる。また、商品棚の商品が上段の商品棚の影に入りづらくなるので、商品の視認性が向上する。さらに、商品棚として同一寸法を用いるので部品の共通化によるコスト削減が容易となる。さらに、商品棚の上下位置を調整したり棚数を増減させても商品棚の前端は常に仕切板の前記後傾部と平行となるので、美感を損ねることがない。さらに、仕切板の下部が後退しているので、商品収納部の下部における商品収納容量が向上する。
【００３３】
また、請求項２の発明によれば、仕切板の後退部に吹出孔が形成されているので、商品収納部の下部にダクト内の冷気が吹き出される。これにより、冷却不足になりやすい商品収納部下部に収納された商品の保冷を確実に行うことができる。
【図面の簡単な説明】
【図１】ショーケースの側面断面図
【図２】ショーケースの仕切板の構造を説明する一部切り欠き斜視図
【図３】従来のショーケースの側面断面図
【符号の説明】
１…ショーケース、２…ショーケース本体、３…商品収納部、５…断熱壁、６…仕切板、８…側板、１０…商品棚、１３…第１のダクト、１４…第２のダクト、１５…冷却器、１６…送風器、１７…吸入口、１８…第１の吹出口、１９…第２の吹出口、２０…後仕切板、２０ａ…後傾部、２０ｂ…後退部、２０ｃ…立設部、２２…吹出孔、２３…照明器
【図１】
0004157637.tif 000002
【図２】
0004157637.tif 000003
【図３】
0004157637.tif 000004